(57)【要約】【課題】箱コーナーの隙間の発生を防止し、粉末あるいは顆粒状製品がもれ出し難いカートンを提供する。【解決手段】筒状胴部の開口部に連接した相隣る内外フラップにより、前記開口部を封緘するシールエンドタイプの紙カートンであり、隣り合う内フラップと外フラップの境界の根元部分は、切り離さずに薄い裏層部分で一体に連続した状態として形成し、かつ外フラップの裏層を剥離して、前記内フラップの根元部から前記外フラップ側に突出するようにカートンの角部を含んだ広い面域をカバーできる水掻き形状のコーナーフィンを内フラップと一体に形成して外フラップの折り曲げ時に、前記コーナーフィンを内フラップの上に折り重ねて製箱する。【選択図】　　　図１
2004123186.tif 000002
【特許請求の範囲】
【請求項１】
筒状胴部の開口部に連接した相隣る内外フラップにより、前記開口部を封緘するシールエンドタイプの紙カートンにおいて、
隣り合う内フラップと外フラップの境界の根元部分は、切り離さずに薄い裏層部分で一体に連続した状態として形成し、かつ外フラップの裏層を剥離して、前記内フラップの根元部から前記外フラップ側に突出するようにカートンの角部を含んだ広い面域をカバーできる水掻き形状のコーナーフィンを内フラップと一体に形成して外フラップの折り曲げ時に、前記コーナーフィンを内フラップの上に折り重ねて製箱することを特徴とする粉もれ防止カートン。
【請求項２】
前記隣り合う内フラップと外フラップの境界の根元部分は、フラップ表面側から紙厚のほぼ半分程度まで切り込んだ直線状の表ハーフカットを刻設し、外フラップにはフラップ裏面側から紙厚のほぼ半分程度まで切り込んだ円弧状の裏ハーフカットを刻設して、前記水かき状のコーナーフィンを前記外フラップの裏面層に形成することを特徴とする請求項１に記載の粉もれ防止カートン。
【請求項３】
更に、該円弧を二分するように円弧の中心から円周にかけて、裏面から罫線を設けることを特徴とする請求項２に記載の粉もれ防止カートン。
【請求項４】
前記コーナーフィンは、前記シールエンドカートンの底部に位置する少なくとも４つのコーナーに設けていることを特徴する請求項１〜３のいずれかに記載の粉もれ防止カートン。
【発明の詳細な説明】
【０００１】
【発明の属する技術分野】
本発明は、主として洗剤などの粉末状または顆粒状の製品を収納するのに適した紙カートンに関するものである。
【０００２】
【従来の技術】
従来、粉末あるいは顆粒状の内容物を充填包装するのに、長方形状の４側板を一方向に連接し、その４側板の上下にシール用の内外フラップを連設し、その内外フラップを貼着して、ほぼ矩形または正方形状に製箱する紙カートンが広く用いられている。
このような紙カートンは、箱素材であるカートンブランクをカートニングマシンで組み立てる時に箱の８つのコーナーが折目から正しく９０度に折れ曲がらずに角部に小さな隙間を生じたりすることがある。隙間を生ずると、商品保管時には隙間から吸湿したり、輸送時及び使用時には、内容物がカートンからもれ出すことがあった。
【０００３】
コーナー部分からのもれ出しを防止する紙箱としては、図１５に示すような、４枚の側面板と糊代片とを折り目線（ａ、ｂ、ｃ、ｄ）を介して順に連設し、４枚の側面板の上端辺に、上面板と上面内板と２枚の上折込み片とを折り目線（ｅ）を介してそれぞれ連設し、また４枚の側面板の下端辺に、下面板と下面内板と２枚の下折込み片とを折り目線（ｆ）を介してそれぞれ連設して、側面板と糊代片とを接着した後に、２枚の上折込み片と２枚の下折込み片とを折り込んで、上面板と上面内板と及び下面板と下面内板とを接着して直方体状に製箱する粉末用の紙箱であって、粉末用の紙箱の角部に相当する折り目線（ａ、ｂ、ｃ、ｄ）と折り目線（ｅ、ｆ）とのそれぞれの交点に、折り目線に連続した短い半切れ線５０をそれぞれ設けた構成となっているものがある。（例えば、下記特許文献１参照）
【０００４】
【特許文献１】
実開平７−３５３１２号公報
【０００５】
上記公報記載の紙箱は、側面板と糊代片とを接着した後に、２枚の上折込み片と枚の下折込み片とを折り込んで、上面板と上面内板及び下面板と下面内板とを接着して直方体状に製箱するが、充填、製箱工程での折り込み動作などのばらつきがあって直角精度がでにくいときも、短い半切れ線５０により、折り目線が正確に直角に折れるものであって、直方体状に製箱した粉末用の紙箱のそれぞれの角部が膨らむのを防止して、角部に隙間を生じさせないようにして、内容物の漏れ出しを防止していた。
【０００６】
【発明が解決しようとする課題】
しかしながら、この従来技術は、カートンの相隣る内外フラップの境界の根元部表層を切らないで角部に隙間を生じさせないだけであるため、カートンの角部のみならず、角部を含んだ広い面域をカバーできるものではない。したがって、運搬、保管中、あるいは、使用中に箱が胴膨れしたり歪んだりすることで、フラップの根元部分に隙間ができたり、取り扱い時に箱をぶつけたり、落としたりすることで箱のコーナー部に隙間ができやすく、粉末あるいは顆粒状の製品がコーナー部からもれ出すという欠点を完全に解決するに至っていない。
【０００７】
そこで、本発明は、箱のコーナー部分に、水掻状コーナーフィンが製箱工程で自動的に形成できるようにして、内容物の漏れ出しの原因となる隙間が生じないようにすることで、粉末あるいは顆粒状の内容物のもれ出しを防ぐことのできる紙カートンを提供するものである。
【０００８】
【課題を解決するための手段】
上記課題を解決するために本発明の粉もれ防止紙カートンは、次のような手段を採用した。
筒状胴部の開口部に連接した相隣る内外フラップにより、前記開口部を封緘するシールエンドタイプの紙カートンにおいて、
隣り合う内フラップと外フラップの境界の根元部分は、切り離さずに薄い裏層部分で一体に連続した状態として形成し、かつ外フラップの裏層を剥離して、前記内フラップの根元部から前記外フラップ側に突出するようにカートンの角部を含んだ広い面域をカバーできる水掻き形状のコーナーフィンを内フラップと一体に形成して外フラップの折り曲げ時に、前記コーナーフィンを内フラップの上に折り重ねて製箱することを特徴とする。
【０００９】
前記隣り合う内フラップと外フラップの境界の根元部分は、フラップ表面側から紙厚のほぼ半分程度まで切り込んだ直線状の表ハーフカットを刻設し、外フラップにはフラップ裏面側から紙厚のほぼ半分程度まで切り込んだ円弧状の裏ハーフカットを刻設して、前記水かき状のコーナーフィンを前記外フラップの裏面層に形成することを特徴とする。
更に、該円弧を二分するように円弧の中心から円周にかけて、裏面から罫線を設けることを特徴とする。
【００１０】
前記コーナーフィンは、前記シールエンドカートンの底部に位置する少なくとも４つのコーナーに設けていることを特徴する。
【００１１】
【発明の実施の形態】
本発明の実施の形態を図面について説明する。
図１は、第１の実施例を示すカートンブランクを示すものである。このブランク１０は板紙より形成されるが、必要に応じて板紙に防湿加工等の表面加工を施した紙またはフィルムと板紙を貼合した複合材料を用いることができる。
【００１２】
本実施例に示すカートンは、ブランク１０の中央部に、カートンの対向する各側面のうち長い面（長手面）を構成する一対の長方形の側板１１と、短い面（幅面）を構成する長方形の妻板１２とが折線を介して交互に一方向に連設されている。
側板１１の下縁には底面用外フラップ１４が、上縁には天面用外フラップ１６が、それぞれ折線を介して連設されている。一方、妻板１２の下縁には底面用内フラップ１５が、上縁には天面用内フラップ１７が、それぞれ折線を介して連設されている。なお符号１３は、ブランク１０の端部に連設した糊代片である。
【００１３】
本発明において、底面用外フラップ１４の長さ方向の寸法Ｆ１は、カートンの幅面を構成する妻板１２の幅方向寸法Ｗの長さにほぼ等しく形成され、底面用外フラップ１４が互いに折り重ね合わされて箱の底面全面が閉塞される。天面用外フラップ１６の長さ方向の寸法Ｆ２は、カートンの幅面を構成する妻板１２の幅方向寸法Ｗの長さとほぼ等しく形成され、両天面用外フラップ１６、１６が互いに折り重ね合わされて箱の天面が封緘される。
【００１４】
そして、前記の底面用外フラップ１４、１４と底面用内フラップ１５、１５とに対して、本発明の特徴である次のような粉もれ防止機構を設けている。
すなわち、隣り合う外フラップ１４と内フラップ１５との境界は、根元部分を除いて、切り離されている。言い換えると外フラップ１４と内フラップ１５の境界の根元部分は一体に連続した状態に形成されている。
図１のＡ部をフラップ表側から見た拡大平面図を図２に示す。図２に示すように、内外のフラップを区画する境界線の根元部分には、フラップの表側からブランクの紙厚の半分程度まで切り込んだ直線状のハーフカット２０（表ハーフカット）を刻設する。
【００１５】
図１のＡ部をフラップ裏側から見た拡大平面図を図４に示す。図４に示すように、外フラップ１４の裏面には、フラップ裏面側から紙厚のほぼ半分程度まで切り込んだ円弧状（扇形）のハーフカット２１（裏ハーフカット）を刻設する。この円弧状裏ハーフカット２１は、ほぼ四分円に形成されている。円弧の半径は、カートンの大きさにもよるが、５００ｇ入り洗剤収納カートン容器の場合、一例として７ｍｍ〜１５ｍｍ程度が好適である。
更に本発明では、前記した略四分円の円弧状フィンにおいて、該円弧を二分するように円弧の中心から円周にかけて、裏面から罫線を設けることが好ましい。それにより、自動機械により内フラップを折り込んだ時にフィンが正しい方向に正確に折り畳まれる。該罫線は、図１には表示しないが図４の点線６１として表示する。
【００１６】
上記したハーフカット部分のブランクの断面図を図３に示す。同図に示すように、底面用外フラップ１４、１４と底面用内フラップ１５、１５とに対して、表ハーフカット２０と裏ハーフカット２１とが刻設され、その間の紙層部分が外フラップ１４から剥離されて、後記のように箱コーナー部からの粉もれを防止する水掻状コーナーフィン２２となる。
【００１７】
本実施例では天面用外フラップ１６と内フラップ１７との根元部分にも、前記底面の粉もれ防止機構と同様な粉もれ防止機構が形成されている。
すなわち、隣り合う天面用外フラップ１６と内フラップ１７との境界は根元部分を残して切り離されている。
外フラップ１６と内フラップ１７の根元部分は底面と同様に（図２参照）、内外エンドフラップを区画する根元部分は、フラップの表側からブランクの紙厚のほぼ半分程度まで切り込んだ直線状のハーフカット２０（表ハーフカット）を刻設する。また、図４と同様に、外フラップ１６の裏面には、フラップ裏面側から紙厚のほぼ半分程度まで切り込んだ円弧状をしたハーフカット２１（裏ハーフカット）を刻設する。この裏ハーフカット２１は、四分円状に形成されている。
本発明の箱に使用する板紙に特に限定はないが、古紙を主体とする多層抄き白板紙とクラフト紙を貼合した板紙が好ましい。クラフト紙の層を裏層（箱の内側層）とすることにより、前記コーナーフィンが切れることなくきれいに剥離でき、正確に折り畳める。
【００１８】
なお、本発明の必須の要件ではないが、図示したように側板１１、妻板１２の上端付近には、箱を開封しやすいように、予め開封用ジッパー１９を設けておいても良い。該ジッパー１９は、ミシン目、半切れ状態の断続線、つなぎ付き引き裂き線などによる破断線１８により構成され、開封時に箱本体から細長い帯状に切り離される。
【００１９】
カートンブランク１０を組み立てるには、側板１１、妻板１２を順次折り曲げ、糊代片１３を反対側の妻板１２に貼着して４角筒状に連結する。なおこのカートンは組み立てるまでは、扁平に折り畳んだ状態で保管しておくことができる。
カートンへの内容物の充填と製箱に際しては、ブランクを角筒状に起こしてから、カートン底面を図５〜７に示す順序で折り曲げる。
まず図５の状態から図６に示すように、底面用外フラップ１４、１４を、側板１１の外側に折り曲げる。このとき裏ハーフカット２１及び表ハーフカット２０が破断し、外フラップ裏面の紙層が剥離して、水掻き形状のコーナーフィン２２が形成される。
次に、底面用内フラップ１５、１５を、妻板１２の内側に折り曲げる（図７参照）。このとき水掻き形状のコーナーフィン２２はほぼ二つ折りされる。次いで、折り曲げた底面用内フラップ１５の上にコーナーフィン２２を折り重ねると共に底面用外フラップ１４を折り重ねて糊をつけて底面用外フラップ１４を相互に貼着する。
箱の底面の４コーナーに形成されるコーナーフィン２２は、側板１１、妻板１２及び底面用内フラップ１５の３つの面とフラップの根元部で一体に連続しており、底面の封緘時にフラップと共に折り畳まれて、カートンの角部のみならず、角部を含んだ広い面域をカバーして、フラップの根元に小さい隙間の発生を防止する。
【００２０】
底面を封緘してから粉末洗剤などの内容物をカートン内に充填する。充填作業完了後、底面と同様に天面を封緘する（図８参照）。
【００２１】
以上のようにフラップ根元の８つのコーナーには、それぞれに水掻き形状のコーナーフィン２２が形成されるから、フラップを折り曲げたときに、コーナー部分が正確に直角に折れなくても、フラップの根元に隙間が発生することがない。また箱の胴脹れによりカートンの形状が崩れた場合にもフラップの根元に隙間が生じることがない。
よって、運搬時、保管時あるいは使用中にカートンが転倒した場合にも、カートンのコーナーからの内容物のもれ出しも防止することができる。
【００２２】
図９は本発明の第２の実施例を示す組み立て前のブランクシートである。
ブランク２３の材質は、第一の実施例のブランク１０と同じである。以下異なる点について説明する。符号１３、１３ａ、１３ｂは糊代片である。
妻板１２ａの上方に、内容物の取り出し口２５が形成されている。
【００２３】
底面用外フラップ１４及び底面用内フラップ１５に設けた粉もれ防止機構および天面用外フラップ１６及び天面用内フラップ１７に設けた粉もれ防止機構の構成は第１の実施例と同じであるので説明を略す。
【００２４】
また、上記ブランク２３の組み立て方は常法通りであるから、詳しい説明は省略する。この実施態様のものにあっても、表ハーフカット２０及び裏ハーフカット２１の部分を破断させ、外フラップ１６の裏面からコーナーフィン２２を剥離させる。すなわち、内フラップ１７を内側に折り曲げてから、そのうちフラップの上にコーナーフィン２２を折り重ね、さらにその外側に外フラップ１６を折り重ねるものである（図１０参照）。
【００２５】
なお、上記実施態様のカートンは、図１１に示すように、破断線２４を破り、取り出し口２５を内側または外側に開いてからカートンを傾け、内容物を振り出して使用する。
【００２６】
図１２は、第３の実施例を示すカートンを組み立てる前のブランクシートを示すものである。該カートンは４角筒状の胴部を構成する４枚の壁面板の端辺に、内フラップと外フラップを折線を介して交互に連設して、前記胴部の両端面を前記内外フラップによりシールするシールエンドタイプの紙カートンである。
ブランク３０の中央に縦方向に、前面板３４、底面板３５、背面板３６、天面板３７を連設し、天面板３７の下端縁には、破断線３８による開封用の製品取り出し口３９が刻設された前面フラップ４３を連設し、前面板３４の上端縁には、連結フラップ３３が連設されている。
天面板３７及び底面板３５には、４角筒状胴部の両端面を封緘するための側面用内フラップ３２を折線を介して連設し、背面板３６及び前面板３４には側面用外フラップ３１を折線を介して連設している。
隣り合う外フラップ３１と内フラップ３２の境界は、根元部分を残して切り離されている。根元部分は、フラップ表面側から、直線状の表ハーフカット４０を紙厚のほぼ半分程度まで刻設している。
外フラップ３１側には、紙厚のほぼ半分程度まで切り込んだ円弧状の裏ハーフカット４１を刻設している。
内外フラップ３１、３２を折り曲げて開口面を閉じる際に、前記の表ハーフカット４０、裏ハーフカット４１が破断する結果、フラップ根元の８つのコーナーには、それぞれに水掻き形状のコーナーフィン４２が形成されるから、フラップを折り曲げたときに、コーナー部分が正確に直角に折れなくても、フラップの根元に隙間が発生することがない。また箱の胴脹れによりカートンの形状が崩れた場合にもフラップの根元に隙間が生じることがない。
【００２７】
以上、本発明の実施例を説明してきたが、本発明は前記実施例に限定されるものではない。例えばコーナーフィンを形成するための裏ハーフカットは円弧状としたが、これに限られるものではない。
【００２８】
【発明の効果】
以上のように本発明は、カートンの相隣る内外フラップの境界の根元部表層を切らないで残しておくというだけでなく、外フラップを折り曲げるときに外フラップの裏層を剥離して、カートンの角部のみならず、角部を含んだ広い面域をカバーできる水掻き形状のコーナーフィンを内フラップと一体に形成するものであるから、製箱時に内外フラップを折り曲げるときにコーナー部分を正確に直角に折れ曲げられなくても、フラップの根元に小さな隙間（ピンホール）が生じることがない。また、使用中にカートンが胴膨れを起こした場合や、コーナー部が損傷しても、コーナーに隙間が生じることがなく、コーナーからの粉末、顆粒状の内容物のもれ出しを防止することができる。
また、コーナーフィンをカートン底面の４コーナーだけでなく、天面の４コーナーにも備えることで、カートン輸送中並びに使用時にカートンが横転したときなどにもカートンの角部からの内容物のもれ出しを防ぐことができる。
コーナーフィンは外フラップの裏層を剥離して形成し、カートンの自動充填・製箱時に内フラップの上に折り曲げるため、コストアップすることなく、組み立ても容易である。
【図面の簡単な説明】
【図１】本発明によるカートンの一実施例を示すブランクの平面図である。
【図２】図１のＡ部を表面から見た拡大平面図である。
【図３】図１のＡ部の断面図である。
【図４】図１のＡ部を裏面から見た拡大平面図である。
【図５】同上実施例のカートンの組み立て途中で、胴部を連結した状態の斜視図である。
【図６】同上実施例のカートン底面の封緘途中で、外エンドフラップを外側に広げた状態の斜視図である。
【図７】同上実施例のカートン底面の封緘途中で、内エンドフラップを内側に折り曲げた状態の斜視図である。
【図８】同上カートンの封緘状態を示す斜視図である。
【図９】第２の実施例のカートンブランクの平面図である。
【図１０】同上実施例のカートンの天面封緘途中の斜視図である。
【図１１】同上実施例のカートンの取り出し口を開封した状態の斜視図である。
【図１２】第３の実施例のカートンブランクの平面図である。
【図１３】同上実施例のカートンの組み立て状態を示す斜視図である。
【図１４】同上実施例のカートンを開封状態の斜視図である。
【図１５】従来例を示すブランクの平面図である。
【符号の説明】
１０、３０　ブランク
１１　側板
１２　妻板
１３　糊代片
１４　底面用外フラップ
１５　底面用内フラップ
１６　天面用外フラップ
１７　天面用内フラップ
１８、２４、３８　破断線
１９　ジッパー
２０、４０　ハーフカット
２１、４１　ハーフカット
２２、４２　コーナーフィン
２５、３９　製品取り出し口
３１　側面用外フラップ
３２　側面用内フラップ
３３　連結用フラップ
３４　前面板
３５　底面板
３６　背面板
３７　天面板
４３　前面フラップ
６１　コーナーフィンの罫線
【図１】
2004123186.tif 000003
【図２】
2004123186.tif 000004
【図３】
2004123186.tif 000005
【図４】
2004123186.tif 000006
【図５】
2004123186.tif 000007
【図６】
2004123186.tif 000008
【図７】
2004123186.tif 000009
【図８】
2004123186.tif 000010
【図９】
2004123186.tif 000011
【図１０】
2004123186.tif 000012
【図１１】
2004123186.tif 000013
【図１２】
2004123186.tif 000014
【図１３】
2004123186.tif 000015
【図１４】
2004123186.tif 000016
【図１５】
2004123186.tif 000017